(57)【特許請求の範囲】
【請求項１】
本体ケースに突出位置と押込み位置との間で往復移動可能に設けられた仮施錠ボタンと、
前記本体ケースの前記仮施錠ボタンの近傍に位置させて突出位置と押込み位置との間で往復移動可能に設けられた解錠ボタンと、
前記仮施錠ボタンと前記解錠ボタンとの間に位置させてこれらに係合した状態で揺動可能に設けられ、前記仮施錠ボタンが押込み位置へ移動された場合には、先端部が前記本体ケースの裏側に突出した係止位置に回動すると共に前記解錠ボタンを突出位置へ移動させ、前記解錠ボタンが押込み位置へ移動された場合には、前記本体ケースの内部に収納された非係止位置に回動すると共に前記仮施錠ボタンを突出位置へ移動させる係止部材と、
前記本体ケースにおいて前記仮施錠ボタンの前記解錠ボタン側とは反対側に配置され、キーが挿入されることによって解錠位置と本施錠位置との間で回動可能となるキーロータを有するシリンダ錠と、
前記キーロータと共に回動するように設けられた第１の規制部および第２の規制部と、
前記仮施錠ボタンに設けられ、前記第１の規制部に係合可能な第１の係合部と、
前記仮施錠ボタンに設けられ、前記第２の規制部に係合可能な第２の係合部とを備え、
前記仮施錠ボタンが押込み位置へ移動され、かつ、前記キーロータが本施錠位置へ回動された状態では、前記第１の係合部が前記第１の規制部に係合して前記仮施錠ボタンの突出位置方向への移動が阻止され、
前記キーロータが解錠位置へ回動され、かつ、前記解錠ボタンが押込み位置へ移動された状態では、前記第２の規制部が前記第２の係合部に係合して前記キーロータの本施錠位置への回動が阻止されることを特徴とする錠装置。
【請求項２】
前記仮施錠ボタンが突出位置へ移動した状態において、前記仮施錠ボタンの側面にあって外部から視認可能な部位には第１の色が着色され、
前記解錠ボタンが突出位置へ移動した状態において、前記解錠ボタンの側面にあって外部から視認可能な部位には、前記第１の色とは異なる第２の色が着色されていることを特徴とする請求項１記載の錠装置。
【請求項３】
前記本体ケース前面の前記シリンダ錠の近傍に位置させて、前記キーロータが解錠位置に回動されている状態と前記キーロータが本施錠位置に回動されている状態とを表示するための窓部を備えたことを特徴とする請求項１または２記載の錠装置。
【請求項４】
前記キーロータと前記本体ケースとの間に、前記キーロータを解錠位置と本施錠位置とで係止させるための節度機構を備え、
前記節度機構は、
前記シリンダ錠の後端に設けられ前記解錠位置または前記本施錠位置に対応する凹部を有する規制部材と、
前記凹部に嵌り込むスチールボールと、
前記スチールボールを前記規制部材側へ押し付ける板ばねとを有し、
前記キーロータの前記解錠位置への回動によって前記解錠位置に対応する前記凹部が前記スチールボールに対向する位置に回動されると、前記スチールボールが前記板ばねのばね力により前記解錠位置に対応する凹部に嵌り込み前記キーロータを前記解錠位置で係止し、
前記キーロータの前記本施錠位置への回動によって前記本施錠位置に対応する前記凹部が前記スチールボールに対向する位置に回動されると、前記スチールボールが前記板ばねのばね力により前記本施錠位置に対応する凹部に嵌り込み前記キーロータを前記本施錠位置で係止することを特徴とする請求項１ないし３の何れかに記載の錠装置。
【請求項５】
一端部が前記仮施錠ボタンまたは前記解錠ボタンのうちの一方のボタンに係合すると共に、他端部が前記本体ケースに係合するように設けられたねじりコイルばねを備え、
このねじりコイルばねは、
前記仮施錠ボタンと前記解錠ボタンの前記本体ケースに対する移動量が等しくなる中間位置に当該両ボタンが移動したときに撓み量が最大となるように設定されていて、当該ねじりコイルばねの一端部が係合した前記一方のボタンが前記中間位置から押込み位置方向に位置したときには、当該一方のボタンを押込み位置方向へ付勢し、前記一方のボタンが前記中間位置から突出位置方向に位置したときには、当該一方のボタンを突出位置方向へ付勢することを特徴とする請求項１ないし４の何れかに記載の錠装置。
【請求項６】
前記係止部材の先端部に、前記係止部材が係止する相手部材を保護するための保護カバーを備えたことを特徴とする請求項１ないし５の何れかに記載の錠装置。
【発明の詳細な説明】
【技術分野】
【０００１】
本発明は、物置などの扉を施錠および解錠するために供される錠装置に関する。
【背景技術】
【０００２】
この種の錠装置として、従来より、引違戸の一方の扉に備えられた本体ケース内に、シリンダ錠とフックとを備えて構成されたものが供されている（例えば、特許文献１参照）。
このものによれば、ユーザが、シリンダ錠に備えられたキーロータのキー挿入孔にキーを差し込み、キーを介してキーロータを回動させると、このキーロータの回動に伴ってロックプレートが上方にスライドされるようになっている。そして、ロックプレートが上方にスライドされると、フックが引違戸の他方の扉に設けられた係止溝に挿入されるようになっていて、これにより、扉を施錠することができるようになっている。
【０００３】
しかしながら、上記した構成のものでは、フックを係止溝に対して係脱させるには、必ずキーロータを回動させなければならない構成であることから、キーロータを回動させるためのキーがなければ施錠と解錠との間の操作をすることができないという欠点がある。また、キーを用いて実際に施錠と解錠との間の操作をする際には、ユーザは、まずキーをキーロータに差し込み、続いてキーを摘んだまま回動させるという二段階の操作をしなければならず、施錠と解錠との間の操作自体が面倒であるという欠点がある。特に、荷物などを持ったまま、このような操作を行うことは、ユーザに大きな負担を強いることになる。
【０００４】
そこで、近年では、キーを用いずに簡易的に施錠する所謂仮施錠をすることができるものが供されている（例えば、特許文献２参照）。
このものによれば、ユーザは、キーを用いることなく、操作摘みを回動操作することによって仮施錠を行うことができる。
【特許文献１】特開昭５４−０２９３００号公報
【特許文献２】特開２００１−２００６６９号公報
【発明の開示】
【発明が解決しようとする課題】
【０００５】
ところが、上記した特許文献２に記載した錠装置であっても、仮施錠するには、まず操作摘みを摘んで、続いて操作摘みを回動させなければならず、その操作自体は依然として面倒なものである。つまり、キーを用いることなく仮施錠を行うことができるという点では、上記した特許文献１の問題点を解決しているものの、施錠と解錠との間の操作性という点に関しては、上記した問題点が解決されておらず、特にユーザが荷物を持っている場合には、大きな負担が強いられるものである。
【０００６】
本発明は、上記した事情に鑑みてなされたものであり、その目的は、解錠と仮施錠との間の操作を容易に行うことができ、かつ、その操作性を高めることができる錠装置を提供することにある。
【課題を解決するための手段】
【０００７】
請求項１に記載の錠装置は、本体ケースに突出位置と押込み位置との間で往復移動可能に設けられた仮施錠ボタンと、前記本体ケースの前記仮施錠ボタンの近傍に位置させて突出位置と押込み位置との間で往復移動可能に設けられた解錠ボタンと、前記仮施錠ボタンと前記解錠ボタンとの間に位置させてこれらに係合した状態で揺動可能に設けられ、前記仮施錠ボタンが押込み位置へ移動された場合には、先端部が前記本体ケースの裏側に突出した係止位置に回動すると共に前記解錠ボタンを突出位置へ移動させ、前記解錠ボタンが押込み位置へ移動された場合には、前記本体ケースの内部に収納された非係止位置に回動すると共に前記仮施錠ボタンを突出位置へ移動させる係止部材と、前記本体ケースにおいて前記仮施錠ボタンの前記解錠ボタン側とは反対側に配置され、キーが挿入されることによって解錠位置と本施錠位置との間で回動可能となるキーロータを有するシリンダ錠と、前記キーロータと共に回動するように設けられた第１の規制部および第２の規制部と、前記仮施錠ボタンに設けられ、前記第１の規制部に係合可能な第１の係合部と、前記仮施錠ボタンに設けられ、前記第２の規制部に係合可能な第２の係合部とを備え、前記仮施錠ボタンが押込み位置へ移動され、かつ、前記キーロータが本施錠位置へ回動された状態では、前記第１の係合部が前記第１の規制部に係合して前記仮施錠ボタンの突出位置方向への移動が阻止され、前記キーロータが解錠位置へ回動され、かつ、前記解錠ボタンが押込み位置へ移動された状態では、前記第２の規制部が前記第２の係合部に係合して前記キーロータの本施錠位置への回動が阻止されることに特徴を有する。
【０００８】
上記した構成によれば、解錠ボタンが押込み位置へ移動されて係止部材が本体ケースの内部に収納された非係止位置に回動すると共に仮施錠ボタンが突出位置へ移動した解錠状態から、ユーザが、仮施錠ボタンを押込み位置へ移動させると、係止部材の先端部が本体ケースの裏側に突出した係止位置に回動すると共に解錠ボタンが突出位置へ移動して仮施錠状態となる。この状態では、第２の規制部の第２の係合部に対する係合が解除されて、キーロータの回動が許容される。この状態から、ユーザが、キーを介してキーロータを解錠位置から本施錠位置へ回動させると、第１の係合部が第１の規制部に係合して、仮施錠ボタンの突出位置方向への移動が阻止される本施錠状態となる。
【０００９】
この本施錠状態から、ユーザが、キーを介してキーロータを本施錠位置から解錠位置へ回動させると、第１の係合部の第１の規制部に対する係合が解除され、仮施錠ボタンの突出位置方向への移動が許容された仮施錠状態となる。この状態から、ユーザが、解錠ボタンを押込み位置へ移動させると、係止部材が本体ケースの内部に収納された非係止位置に回動すると共に仮施錠ボタンが突出位置へ移動して解錠状態となる。この状態では、第２の規制部が第２の係合部に係合して、キーロータの本施錠位置への回動が阻止される。
【発明の効果】
【００１０】
請求項１に記載の錠装置によれば、解錠状態から仮施錠ボタンを押込み位置へ移動させれば仮施錠状態となり、仮施錠状態から解錠ボタンを押込み位置へ移動させれば解錠状態となるように構成したので、解錠と仮施錠との間の操作をボタンの押込み操作のみで容易に行うことができる。かつ、従来の操作摘みを回動させるものに比べ、ボタンを押すことのみで解錠と仮施錠との間の操作を行うことができ、その操作性を高めることができる。
【００１１】
また、本施錠状態では、仮施錠ボタンの突出位置方向への移動が阻止されるように構成したので、仮に解錠ボタンが押込み操作されても、当該解錠ボタンを押込み位置へ移動させることはできない。一方、解錠状態では、キーロータの本施錠位置への回動が阻止されるように構成したので、係止部材が非係止位置にある状態のまま、キーロータが本施錠位置へ回動してしまうことを防止することができる。
【発明を実施するための最良の形態】
【００１２】
以下、本発明の一実施形態について図面を参照して説明する。なお、本発明を適用した錠装置１は、後述する解錠状態、仮施錠状態、本施錠状態の３つの状態をとることが可能となっていて、図１および図２は解錠状態を、図３〜図５は仮施錠状態を、そして図６〜図１０は本施錠状態を夫々示している。
【００１３】
まず、錠装置１の構成について説明する。
図２（図４，図７）は錠装置１の全体的な外観を示す外観斜視図である。図２（図４，図７）において、錠装置１は、本体ケース２に仮施錠ボタン３、解錠ボタン４およびシリンダ錠５を備えて構成されている。
【００１４】
本体ケース２は、後述する各部材などを保持するための前ケース６と、この前ケース６に対して着脱可能な後カバー７から構成されていて、全体として略矩形箱状の形状をなしている。前ケース６の前面には、略矩形状に開口した仮施錠ボタン用開口部６ａが設けられていると共に、この仮施錠ボタン用開口部６ａの上方側に位置して解錠ボタン用開口部６ｂが設けられている。また、仮施錠ボタン用開口部６ａの下方側（換言すれば、解錠ボタン用開口部６ｂ側とは反対側）には、略円形状に開口したシリンダ錠用開口部６ｃが設けられている。このシリンダ錠用開口部６ｃの上部近傍には切欠き窓６ｄ（窓部に相当）が設けられている。一方、後カバー７には、図１（図３，図６）および図９に示すように、本体ケース２の長手方向に沿って開口した開口部７ａが設けられている。また、この開口部７ａの下方側において上記したシリンダ錠用開口部６ｃに対向する位置には、板ばね８が設けられている。この板ばね８の先端部には凹部８ａ（図９参照）が設けられている。
【００１５】
仮施錠ボタン３は、全体として略矩形箱状の形状をなしている。そして、上記した仮施錠ボタン用開口部６ａに挿入された態様で、当該仮施錠ボタン３の前面３ａが本体ケース２から突出する突出位置（図１および図２参照）と前面３ａが本体ケース２（前ケース６）の前面２ａと略面一となる押込み位置（図３および図４，図６および図７参照）との間で図１（図３，図６）中矢印Ａ１，Ａ２方向に往復移動可能に備えられている。また、仮施錠ボタン３が突出位置へ移動した状態において、当該仮施錠ボタン３の側面にあって外部から視認可能な部位には、青色（第１の色に相当）に着色された青色部材９が取り付けられている。更に、仮施錠ボタン３の下面（換言すれば、仮施錠ボタン３の解錠ボタン４側とは反対側の面）には係合板１０（図１，図５および図１０参照）が設けられている。なお、詳しくは後述するが、この係合板１０の前面１０ａ（図１，図３，図６参照）は本発明の第１の係合部に相当するものであり、一方、係合板１０の側面１０ｂ（図８および図１０参照）は本発明の第２の係合部に相当するものである。
【００１６】
一方、解錠ボタン４も、全体として略矩形箱状の形状をなしている。そして、上記した解錠ボタン用開口部６ｂに挿入された態様で、当該解錠ボタン４の前面４ａが本体ケース２から突出する突出位置（図３および図４，図６および図７参照）と前面４ａが本体ケース２の前面２ａと略面一となる押込み位置（図１および図２参照）との間で図１（図３，図６）中矢印Ｂ１，Ｂ２方向に往復移動可能に備えられている。また、解錠ボタン４が突出位置へ移動した状態において、当該解錠ボタン４の側面にあって外部から視認可能な部位には、赤色（第２の色に相当）に着色された赤色部材１１が取り付けられている。
【００１７】
この解錠ボタン４と本体ケース２との間には、図１０に示すようにねじりコイルばね１２が配設されている。ここで、このねじりコイルばね１２の形状および配設の態様について詳しく説明する。まず、ねじりコイルばね１２は、図１４に示すように、全体としてコイル状に巻回されていると共に、２つの端部１２ａ，１２ｂが互いに逆方向に向かって折り曲げられて形成されている。一方、解錠ボタン４の側部には、図１１に示すように、係合孔１３ａを有する孔部材１３が埋め込まれ、本体ケース２の内壁には係合孔１４ａを有する孔部材１４が取り付けられている。そして、ねじりコイルばね１２は、上記した２つの端部１２ａ，１２ｂのうち、一方の端部１２ａが解錠ボタン４側の係合孔１３ａに係合し、他方の端部１２ｂが本体ケース２側の係合孔１４ａに係合した態様で配設されている。
【００１８】
このような態様で配置されたねじりコイルばね１２は、仮施錠ボタン３と解錠ボタン４の本体ケース２に対する移動量が等しくなる中間位置に当該両ボタンが移動したとき（図１１ｂ参照）に撓み量が最大となるように設定されていて、当該ねじりコイルばね１２の一方の端部１２ａが係合した解錠ボタン４が中間位置から押込み位置方向（図１１中矢印Ｂ２方向）に位置したときには、解錠ボタン４を押込み位置方向（図１１中矢印Ｂ２方向）へ付勢し、解錠ボタン４が中間位置から突出位置方向（図１１中矢印Ｂ１方向）に位置したときには、解錠ボタン４を突出位置方向（図１１中矢印Ｂ１方向）へ付勢するようになっている。
【００１９】
また、上記した仮施錠ボタン３と解錠ボタン４との間には、図１（図３，図６）に示すように、フック１５（係止部材に相当）が配設されている。ここで、このフック１５の形状および配設の態様について詳しく説明する。フック１５は全体として略Ｌ字状の形状をなしていて、その先端部１６には、図１２に示すように、樹脂製の保護カバー１７が取り付けられている。一方、フック１５の基部には、回動軸１８が設けられていると共に、この回動軸１８を挟むようにして仮施錠ボタン用駆動軸１９および解錠ボタン用駆動軸２０が設けられている。そして、フック１５は、仮施錠ボタン３と解錠ボタン４との間に位置させて、上記した回動軸１８を回動中心として本体ケース２に対して図１（図３，図６）中矢印Ｃ１，Ｃ２方向に揺動可能に備えられている。また、仮施錠ボタン用駆動軸１９は仮施錠ボタン３の係合溝３ｂに係合し、解錠ボタン用駆動軸２０は解錠ボタン４の係合溝４ｂに係合した状態となる。
【００２０】
このような構成により、例えば、図１に示すように仮施錠ボタン３が突出位置へ移動されている状態から、仮施錠ボタン３を押込み位置へ移動させると、この仮施錠ボタン３を介して仮施錠ボタン用駆動軸１９が押込み位置方向に移動されるので、フック１５自体は仮施錠ボタン用駆動軸１９に押されるようにして図１中矢印Ｃ１方向に回動し、その先端部１６が本体ケース２の裏側に突出した係止位置に回動するようになっている（図３参照）。また、このフック１５の回動に伴って、解錠ボタン用駆動軸２０が突出位置方向に移動されるので、解錠ボタン４は解錠ボタン用駆動軸２０によって図１中矢印Ｂ１方向に押し出され突出位置へ移動するようになっている（図３参照）。
【００２１】
逆に、図３に示すように解錠ボタン４が突出位置へ移動されている状態から、解錠ボタン４を押込み位置へ移動させると、この解錠ボタン４を介して解錠ボタン用駆動軸２０が押込み位置方向に移動されるので、フック１５自体は解錠ボタン用駆動軸２０に押されるようにして図３中矢印Ｃ２方向に回動し、本体ケース２の内部に収納された非係止位置に回動するようになっている（図１参照）。また、このフック１５の回動に伴って、仮施錠ボタン用駆動軸１９が突出位置方向に移動されるので、仮施錠ボタン３は仮施錠ボタン用駆動軸１９によって図３中矢印Ａ２方向に押し出され突出位置へ移動するようになっている（図１参照）。
【００２２】
シリンダ錠５は、図１（図３，図６）に示すように、本体ケース２内において上記したシリンダ錠用開口部６ｃ（つまり、仮施錠ボタン３の解錠ボタン４側とは反対側）と板ばね８との間に配置されている。このシリンダ錠５は周知の構成のものであるが、ここで、その構成について概略的に説明する。シリンダ錠５はロータケース２１とキーロータ２２とを備えて構成されている。ロータケース２１は略円筒状をなしていて、その内部に略円柱形状のキーロータ２２が挿入されている。このキーロータ２２は、キー挿入孔２３（図２，図４，図７参照）に正規のキー（図示せず）が挿入されると、キーロータ２２から突出した複数のタンブラ２４（図６参照）がキーロータ２２内に収容されるようになっている。そのため、キー挿入孔２３に正規のキーが挿入された状態では、キーロータ２２側のタンブラ２４とロータケース２１の内壁に設けられた係合溝２１ａとの係合が解除され、これにより、キーロータ２２がロータケース２１内を回動可能となるようになっている。このとき、キーロータ２２の回動範囲はストッパ（図示せず）により解錠位置（図２および図４に示すようにキー挿入孔２３が横向きとなる位置）と本施錠位置（図７に示すようにキー挿入孔２３が縦向きとなる位置）との間で制限（本実施形態では略９０°の回動範囲に制限）されるようになっている。更に、キーロータ２２の前面の縁部には、青色に着色された青色片２５（図２および図４参照）と赤色に着色された赤色片２６（図７参照）とが略９０°の間隔を隔てて埋め込まれていて、キーロータ２２が解錠位置に回動されている状態では、青色片２５によって上記した切欠き窓６ｄに青色の表示がされ、一方、キーロータ２２が本施錠位置に回動されている状態では、赤色片２６によって切欠き窓６ｄに赤色の表示がされるようになっている。
【００２３】
また、シリンダ錠５の後端面（板ばね８に対向する面）には、図５および図８に示すように略矩形状をなした突起２７が設けられていて、この突起２７には規制部材２８が取り付けられている。ここで、この規制部材２８の形状および取り付け態様ついて詳しく説明する。規制部材２８は、図１３に示すように、全体として略円盤形状をなしていて、その中央部には上記した突起２７に対して係合可能な取付孔２９が設けられている。また、取付孔２９の周囲には、２つの凹部２８ａ，２８ｂが略９０°の間隔を隔てて設けられている。規制部材２８の側部には、この規制部材２８からシリンダ錠５（ロータケース２１）の外周面に沿って湾曲して延びる規制用突起３０が設けられている。なお、詳しくは後述するが、規制用突起３０の基部に設けられた段部３０ａは本発明の第１の規制部に相当するものであり、規制用突起３０の先端部３０ｂは本発明の第２の規制部に相当するものである。そして、規制部材２８は、取付孔２９がキーロータ２２側の突起２７に係合した態様で、キーロータ２２と共に図５中矢印Ｄ方向および図８中矢印Ｅ方向に回動可能に取り付けられている。
【００２４】
上記した規制部材２８の凹部２８ａ，２８ｂと板ばね８の凹部８ａとの間には、図１（図３，図６）および図９に示すようにスチールボール３１が配置されていて、これにより節度機構３２が構成されている。即ち、キーロータ２２が解錠位置に回動されることに伴って、規制部材２８の凹部２８ａがスチールボール３１に対向する位置に回動されると、スチールボール３１が板ばね８のばね力により凹部２８ａに嵌まり込み、これにより、節度機構３２はキーロータ２２を解錠位置で係止させるようになっている。一方、キーロータ２２が本施錠位置に回動されることに伴って、規制部材２８の凹部２８ｂがスチールボール３１に対向する位置に回動されると、スチールボール３１が凹部２８ｂに嵌まり込み、これにより、節度機構３２はキーロータ２２を本施錠位置で係止させるようになっている。
【００２５】
次に、上記した構成の作用について説明する。
なお、説明に際しては、例えば物置の引違戸において、上記した錠装置１を庫外側の引戸に取り付け、フック１５の先端部１６が係止位置または非係止位置に回動して庫内側の引戸に設けられた係止溝（図示せず）に係脱することにより引違戸の施錠および解錠を行う場合を想定して具体的に説明する。また、上記したねじりコイルばね１２の作用については、説明を容易にするため、この作用説明（引違戸の施錠および解錠を行う場合の作用説明）においては省略する。
【００２６】
まず、錠装置１を用いて引違戸の施錠を行う場合について説明する。
図１において、解錠ボタン４は押込み位置へ移動されていて、この解錠ボタン４に解錠ボタン用駆動軸２０を介して係合したフック１５は、本体ケース２の内部に収納された非係止位置に回動している。また、仮施錠ボタン３は、フック１５の仮施錠ボタン用駆動軸１９によって押し出され突出位置へ移動している。この状態では、フック１５の先端部１６が庫内側引戸の係止溝に係止することができず引違戸の施錠を行うことができない。そこで、本実施形態では、この状態を解錠状態と称する。この解錠状態では、キーロータ２２が解錠位置に回動されて節度機構３２により係止されていると共に、規制部材２８側の先端部３０ｂが仮施錠ボタン３側の係合板１０の側面１０ｂに係合して、キーロータ２２の本施錠位置への回動（図５中矢印Ｄ方向への回動）が阻止されている。また、仮施錠ボタン３が突出位置へ移動していることから青色部材９が外部から視認可能となっていると共に、キーロータ２２が解錠位置に回動されていることから切欠き窓６ｄには、図２に示すように青色片２５が表示されている。
【００２７】
この解錠状態から、ユーザが仮施錠ボタン３を押込み位置へ移動（図１中矢印Ａ１方向へ移動）させると、仮施錠ボタン用駆動軸１９を介してフック１５が図１中矢印Ｃ１方向に回動すると共に、フック１５の解錠ボタン用駆動軸２０によって解錠ボタン４が図１中矢印Ｂ１方向へ押し出される。そして、図３に示すように、フック１５の先端部１６が本体ケース２の裏側に突出した係止位置に回動すると共に、解錠ボタン４が突出位置へ移動する。この状態では、フック１５の先端部１６が庫内側引戸の係止溝に係止することができ引違戸の施錠を行うことができる。しかしながら、解錠ボタン４を押込み位置へ移動させれば錠装置１を直ちに上記した解錠状態とすることができ、引違戸の解錠を行うことが許容された状態である。そこで、本実施形態では、この状態を仮施錠状態と称する。この仮施錠状態では、仮施錠ボタン３の係合板１０も押込み位置方向に移動することから、規制部材２８側の先端部３０ｂの、仮施錠ボタン３側の側面１０ｂに対する係合が解除されて、キーロータ２２の本施錠位置方向（図５中矢印Ｄ参照）への回動が許容されるようになる。また、解錠ボタン４が突出位置へ移動していることから赤色部材１１が外部から視認可能となっていると共に、キーロータ２２が解錠位置に維持されていることから切欠き窓６ｄには、図４に示すように青色片２５の表示が維持されている。
【００２８】
この仮施錠状態から、ユーザがキーロータ２２のキー挿入孔２３に正規のキーを挿入し、この正規のキーを介してキーロータ２２を解錠位置から本施錠位置へ回動（図５中矢印Ｄ方向へ回動）させると、キーロータ２２と共に規制部材２８も本施錠位置へ回動する（図８参照）。このとき、仮施錠ボタン３側の係合板１０の前面１０ａは、図６および図１０に示すように、規制部材２８側の段部３０ａに係合する。この状態では、仮施錠ボタン３の突出位置方向（図６中矢印Ａ２方向）への移動が阻止され、更には、この仮施錠ボタン３に係合したフック１５の非係止位置への回動（図６中矢印Ｃ２方向への回動）をも阻止される。そこで、本実施形態では、この状態を本施錠状態と称する。この本施錠状態では、解錠ボタン４が突出位置に維持されていることから赤色部材１１が外部から視認可能な状態が維持されていると共に、キーロータ２２が本施錠位置へ回動されていることから切欠き窓６ｄには、図７に示すように赤色片２６が表示されるようになる。
【００２９】
次に、引違戸の解錠を行う場合の作用について説明する。
上記した本施錠状態（図６参照）から、正規のキーを介してキーロータ２２を本施錠位置から解錠位置へ回動（図８中矢印Ｅ方向へ回動）させると、仮施錠ボタン３側の係合板１０の前面１０ａの、規制部材２８側の段部３０ａに対する係合が解除され、錠装置１は仮施錠ボタン３の突出位置方向への移動が許容された仮施錠状態となる（図３および図５参照）。
【００３０】
この仮施錠状態から、ユーザが解錠ボタン４を押込み位置へ移動させると、解錠ボタン用駆動軸２０を介してフック１５が図３中矢印Ｃ２方向に回動し、フック１５の仮施錠ボタン用駆動軸１９によって仮施錠ボタン３が図３中矢印Ａ２方向へ押し出される。そして、図１に示すように、フック１５が本体ケース２の内部に収納された非係止位置に回動すると共に、仮施錠ボタン３が突出位置へ移動する。即ち、錠装置１はキーロータ２２の本施錠位置への回動が阻止された解錠状態となる。この解錠状態では、上記したように先端部１６の係止溝に対する係止が解除されることとなるので、引違戸を解錠させることができる。
【００３１】
以上は、引違戸の施錠および解錠を行う場合の作用を説明した。次に、上記した作用説明において省略したねじりコイルばね１２の作用について説明する。
上記した作用説明では、単に仮施錠ボタン３と解錠ボタン４とを移動させることを説明したが、この移動に際しては、解錠ボタン４と本体ケース２との間に配設されたねじりコイルばね１２により以下のような作用が生じている。
【００３２】
即ち、ユーザが解錠ボタン４（ねじりコイルばねの一端部が係合した一方のボタンに相当）を操作する際に、解錠ボタン４が中間位置（図１１ｂ参照）から押込み位置方向に移動したときには、解錠ボタン４はねじりコイルばね１２の付勢力により押込み位置方向へ移動しやすくなる（図１１ｃに示す状態になりやすくなる）。これに伴って、仮施錠ボタン３はフック１５の仮施錠ボタン用駆動軸１９を介して突出位置方向へ移動しやすくなる。一方、仮施錠ボタン３が押込み位置へ操作されることに伴って解錠ボタン４が中間位置から突出位置方向に移動したときには、解錠ボタン４はねじりコイルばね１２の付勢力により突出位置方向へ移動しやすくなる（図１１ａに示す状態になりやすくなる）。これに伴って、仮施錠ボタン３はフック１５の仮施錠ボタン用駆動軸１９を介して押込み位置方向へ移動しやすくなる。
【００３３】
以上に説明したように、本実施形態によれば、解錠状態から仮施錠ボタン３を押込み位置へ移動させれば仮施錠状態となり、仮施錠状態から解錠ボタン４を押込み位置へ移動させれば解錠状態となるように構成したので、解錠と仮施錠との間の操作をボタンの押込み操作のみで容易に行うことができる。かつ、従来の操作摘みを回動させるものに比べ、当該両ボタンを押すことのみで解錠と仮施錠との間の操作を行うことができ、その操作性を高めることができる。
【００３４】
また、本施錠状態では、仮施錠ボタン３の突出位置方向への移動が阻止されるように構成したので、仮に解錠ボタン４が押込み操作されても、当該解錠ボタン４を押込み位置へ移動させることはできない。一方、解錠状態では、キーロータ２２の本施錠位置への回動が阻止されるように構成したので、フック１５が非係止位置にある状態のまま、キーロータ２２が本施錠位置へ回動してしまうことを防止することができる。
【００３５】
解錠状態では青色部材９の青色が外部から視認可能となり、一方、仮施錠状態と本施錠状態とでは赤色部材１１の赤色が外部から視認可能となるように構成したので、ユーザは、青色部材９の青色または赤色部材１１の赤色を視認することにより、錠装置１が解錠状態であるのか、或いは、仮施錠状態または本施錠状態であるのかを容易に判断することができる。
【００３６】
解錠状態と仮施錠状態とでは、青色片２５によってキーロータ２２が解錠位置に回動されている状態が切欠き窓６ｄに表示され、一方、本施錠状態では、赤色片２６によってキーロータ２２が本施錠位置に回動されている状態が切欠き窓６ｄに表示されるように構成したので、ユーザは、その切欠き窓６ｄの表示を視認することにより、錠装置１が解錠状態または仮施錠状態であるのか、或いは、本施錠状態であるのかを容易に判断することができる。
【００３７】
また、解錠状態では、外部から視認できる色が青色部材９および青色片２５の青色のみとなり、一方、本施錠状態では、外部から視認できる色が赤色部材１１および赤色片２６の赤色のみとなるように構成したので、外部から青色のみが視認できる場合は錠装置１が解錠状態であり、外部から赤色のみが視認できる場合は錠装置１が本施錠状態であると判断することが可能である。また、外部から視認できる色が同一色でない場合（青色および赤色の双方が視認できる場合）は錠装置１が仮施錠状態であると判断することができる。つまり、外部から視認できる色の組み合わせによって錠装置１が上記した３つの状態のうち何れの状態であるのかを判断することができる。
【００３８】
キーロータ２２が解錠位置と本施錠位置とで係止するように構成したので、これにより生じる節度感によって、ユーザはキーロータ２２が解錠位置または本施錠位置へ回動されたことを確認することができる。
【００３９】
ねじりコイルばね１２の端部１２ａが係合した解錠ボタン４を中間位置から押込み位置方向に移動させると解錠ボタン４が押込み位置方向へ移動しやすくなり、解錠ボタン４を中間位置から突出位置方向に移動させると解錠ボタン４が突出位置方向へ移動しやすくなるように構成したので、解錠ボタン４を押込み位置または突出位置へ移動させる際の節度感を与えることができ、その操作性をより一層高めることができる。
【００４０】
本体ケース２の裏側に突出するフック１５の先端部１６に保護カバー１７を取り付けたので、例えば物置の引違戸において、フック１５の先端部１６が庫内側引戸の係止溝以外の部分に当接したとしても、当該先端部１６が庫内側引戸に傷を付けてしまうこと防止することができる。
【００４１】
なお、本発明は上記した実施形態にのみ限定されるものではなく、次のように変形または拡張することができる。
ねじりコイルばね１２は、解錠ボタン４に係合させるのではなく仮施錠ボタン３に係合させる構成であっても良いし、ねじりコイルばね１２を２つ使用して解錠ボタン４および仮施錠ボタン３の双方に係合させる構成であっても良い。
【００４２】
第１の色は青色に限られるものではなく、ユーザが任意に選択した色を使用すれば良い。また、第２の色は赤色に限られるものではなく、第１の色とは異なる色であれば良い。
上記した実施形態では、切欠き窓６ｄに青色片２５または赤色片２６によって色を表示するように構成したが、例えば、「解錠」または「本施錠」という文字を付したラベルなどによって表示する構成であっても良い。
また、本発明の錠装置１は物置以外にも適用することが可能である。
【図面の簡単な説明】
【００４３】
【図１】本発明の一実施形態を示すものであり、解錠状態における錠装置の縦断側面図
【図２】解錠状態における錠装置の外観斜視図
【図３】仮施錠状態における錠装置の縦断側面図
【図４】仮施錠状態における錠装置の外観斜視図
【図５】仮施錠状態において、後カバーを外した状態での錠装置の内部を示す斜視図
【図６】本施錠状態における錠装置の縦断側面図
【図７】本施錠状態における錠装置の外観斜視図
【図８】本施錠状態において、後カバーを外した状態での錠装置の内部を示す斜視図
【図９】本施錠状態における錠装置の背面図
【図１０】本施錠状態において、後カバーを外した状態での錠装置の内部を示す背面図
【図１１】（ａ）〜（ｃ）はねじりコイルばねの動作を説明するための部分断面図
【図１２】フックの外観斜視図
【図１３】規制部材の外観斜視図
【図１４】ねじりコイルばねの外観斜視図
【符号の説明】
【００４４】
図面中、１は錠装置、２は本体ケース、３は仮施錠ボタン、４は解錠ボタン、５はシリンダ錠、６ｄは切欠き窓（窓部）、１０は係合板、１０ａは前面（第１の係合部）、１０ｂは側面（第２の係合部）、１２はねじりコイルばね、１５はフック（係止部材）、１６は先端部、１７は保護カバー、２２はキーロータ、３０は規制用突起、３０ａは段部（第１の規制部）、３０ｂは先端部（第２の規制部）、３２は節度機構を示す。
【図１】
0004683475.tif 000002
【図２】
0004683475.tif 000003
【図３】
0004683475.tif 000004
【図４】
0004683475.tif 000005
【図５】
0004683475.tif 000006
【図６】
0004683475.tif 000007
【図７】
0004683475.tif 000008
【図８】
0004683475.tif 000009
【図９】
0004683475.tif 000010
【図１０】
0004683475.tif 000011
【図１１】
0004683475.tif 000012
【図１２】
0004683475.tif 000013
【図１３】
0004683475.tif 000014
【図１４】
0004683475.tif 000015